(57)【特許請求の範囲】
【請求項１】
容器本体と袋と粘着テープとを有し、
前記容器本体は上部に開口を有し、側部にその周囲を包囲する複数の貫通孔を有し、
前記袋は口部の周縁を前記開口の外側に折り返し可能に、前記容器本体の内面に沿って拡げて前記容器本体に収納され、
前記粘着テープは前記容器本体の外側から各貫通孔を通して前記袋を前記容器本体に固定可能であることを、
特徴とする塗装用塗料容器。
【請求項２】
前記開口の外側に折り返された前記袋の口部の周縁を、前記容器本体の外面に固定する固定テープを有することを、
特徴とする請求項１記載の塗装用塗料容器。
【請求項３】
前記容器本体との間に前記袋を挟んで固定可能であって、前記開口に沿って着脱可能な固定部材を有することを、特徴とする請求項１記載の塗装用塗料容器。
【発明の詳細な説明】
【技術分野】
【０００１】
本発明は、塗装用塗料容器に関する。
【背景技術】
【０００２】
塗装時にペンキなどの塗装剤を入れる容器として、一般に提げ缶と呼ばれる塗装用塗料容器が使用されている。しかし、塗装を終えるたびに提げ缶を洗浄する必要があるため、洗浄作業の手間がかかるという問題があった。この問題を解決するため、容器内に幾重にも重ねたシートをはめ込んだ塗装用塗料容器が提案されている（例えば、特許文献１参照）。この塗装用塗料容器では、新しい塗装剤を使用するとき、使用済のシートを剥ぎ取って、その下の新しいシートを使用することができる。
【０００３】
【特許文献１】実用新案登録第３０８１５９０号公報
【発明の開示】
【発明が解決しようとする課題】
【０００４】
しかしながら、特許文献１に記載の塗装用塗料容器では、幾重にも重ねた専用のシートの製造が難しく、製造にコストがかかるという課題があった。
【０００５】
本発明は、このような課題に着目してなされたもので、洗浄作業の必要がなく、かつ安価なコストで製造することができ、使いやすい塗装用塗料容器を提供することを目的としている。
【課題を解決するための手段】
【０００６】
上記目的を達成するために、本発明に係る塗装用塗料容器は、容器本体と袋と粘着テープとを有し、前記容器本体は上部に開口を有し、側部にその周囲を包囲する複数の貫通孔を有し、前記袋は口部の周縁を前記開口の外側に折り返し可能に、前記容器本体の内面に沿って拡げて前記容器本体に収納され、前記粘着テープは前記容器本体の外側から各貫通孔を通して前記袋を前記容器本体に固定可能であることが好ましい。
【０００７】
本発明に係る塗装用塗料容器は、塗装作業を行うとき、容器本体に収納された袋の中に、ペンキなどの塗装剤を入れて使用される。袋は、容器本体の内側に配置するとき、袋の中に容器本体の内側にちょうど納まる大きさの容器などを入れて、容器本体の内面に沿わせるようにすると、セットしやすい。容器本体の外面に貼り付けられる粘着テープが、貫通孔の位置で、容器本体の内面に沿って拡げて容器本体に収納される袋に貼り付けられるため、容器本体の内部に袋を固定することができる。このため、袋の中にペンキなどの塗装剤を入れて塗装作業を行うとき、袋が動かず、使いやすい。
【０００８】
新しい塗装剤を使用するときには、粘着テープを剥がして、使用済の袋を容器本体から外して廃棄し、新しい袋を容器本体の内部に収納して粘着テープで固定することにより、新しい袋を使用することができる。使用済みの袋を取り換えながら使用することにより、容器本体をきれいな状態に保つことができ、容器本体を洗浄する必要がない。容器本体は簡単な構成から成るため、安価なコストで製造することができ、また、市販の安価な袋や粘着テープを使用することができる。粘着テープは、例えば市販のガムテープやビニルテープから成る。
【０００９】
本発明に係る塗装用塗料容器は、前記開口の外側に折り返された前記袋の口部の周縁を、前記容器本体の外面に固定する固定テープを有していてもよい。この場合、袋の口部の周縁を固定テープで固定するため、塗装作業の使用時に、袋の口部がじゃまにならず、より使いやすい。袋の口部の周縁が容器本体の開口の外側に折り返されて固定されるため、容器本体の開口で刷毛などを拭っても、容器本体が汚れるのを防ぐことができる。
【００１０】
また、本発明に係る塗装用塗料容器は、前記容器本体との間に前記袋を挟んで固定可能であって、前記開口に沿って着脱可能な固定部材を有していてもよい。この場合、固定部材により、容器本体の開口の位置で袋を固定するため、容器本体の開口の大きさを保持することができ、より使いやすい。固定部材が開口に沿って設けられるため、容器本体の開口で刷毛などを拭っても、容器本体が汚れるのを防ぐことができる。固定部材が着脱可能であるため、袋の交換が容易である。
【発明の効果】
【００１１】
本発明によれば、洗浄作業の必要がなく、かつ安価なコストで製造することができ、使いやすい塗装用塗料容器を提供することができる。
【発明を実施するための最良の形態】
【００１２】
以下、図面に基づき本発明の実施の形態について説明する。
図１および図２は、本発明の実施の形態の塗装用塗料容器を示している。
図１に示すように、塗装用塗料容器１は、容器本体２と袋３と粘着テープ４と固定テープ５とを有している。
【００１３】
容器本体２は、市販のプラスチック製の提げ缶から成り、円筒状の側部２ａと、側部２ａの下端に設けられた円形の底板２ｂとを有している。容器本体２は、上部に円形の開口２ｃを有し、側部２ａにその周囲を包囲する１２個の貫通孔２ｄを有している。各貫通孔２ｄは、矩形状であって、側部２ａのほぼ中央の高さの位置に、円周方向に沿って等間隔で設けられている。容器本体２は持ち手２ｅを有し、持ち手２ｅは側部２ａの直径方向に離れた位置に両端が回転可能に取り付けられている。なお、容器本体２は、角筒状など円筒状以外の形状であってもよい。また、各貫通孔２ｄも、矩形状に限らず、円形など他の形状であってもよい。
【００１４】
袋３は、市販のビニル袋から成っていても、容器本体２の内面の形状に合わせて製造したビニル袋から成っていてもよい。袋３は、容器本体２の内側に配置され、口部が容器本体２の開口２ｃの側になるよう、容器本体２の内面に沿って拡げて容器本体２に収納されている。袋３は、口部の周縁を、容器本体２の開口２ｃの外側に折り返して取り付けられている。
【００１５】
粘着テープ４は、市販のガムテープから成っている。粘着テープ４は、容器本体２の外側から各貫通孔２ｄを覆うよう、容器本体２の側部２ａの外面に貼り付けられている。粘着テープ４は、各貫通孔２ｄの位置で、容器本体２の外側から各貫通孔２ｄを通して容器本体２に収納された袋３に貼り付けられている。こうして、粘着テープ４は、袋３を容器本体２に固定可能となっている。
【００１６】
固定テープ５は、市販のアルミニウム製の粘着性テープから成っている。固定テープ５は、開口２ｃの外側に折り返された袋３の口部の周縁と、容器本体２の側部２ａの外面とにまたがって、開口２ｃの周縁に沿って貼り付けられている。固定テープ５は、袋３の口部の周縁を、容器本体２の外面に固定している。
【００１７】
なお、図１に示す具体的な一例では、容器本体２は、高さ１４．５ｃｍ、開口２ｃの直径１７．５ｃｍである。各貫通孔２ｄは、高さ３ｃｍ、幅３．５ｃｍである。袋３は、幅２８ｃｍ、高さ２５ｃｍである。
【００１８】
次に、作用について説明する。
塗装用塗料容器１は、塗装作業を行うとき、容器本体２に収納された袋３の中に、ペンキなどの塗装剤を入れて使用される。袋３は、容器本体２の内側に配置するとき、袋３の中に容器本体２の内側にちょうど納まる大きさの容器を入れて、容器本体２の内面に沿わせるようにする。これにより、袋３のセットが容易になる。容器本体２の外面に貼り付けられる粘着テープ４が、貫通孔２ｄの位置で、容器本体２の内面に沿って拡げて容器本体２に収納された袋３に貼り付けられるため、容器本体２の内部に袋３を固定することができる。このため、袋３の中にペンキなどの塗装剤を入れて塗装作業を行うとき、袋３が動かず、使いやすい。また、袋３の口部の周縁を固定テープ５で固定するため、塗装作業の使用時に、袋３の口部がじゃまにならず、より使いやすい。
【００１９】
新しい塗装剤を使用するときには、粘着テープ４および固定テープ５を剥がして、使用済の袋３を容器本体２から外して廃棄し、新しい袋３を容器本体２の内部に収納して粘着テープ４および固定テープ５で固定することにより、新しい袋３を使用することができる。使用済みの袋３を取り換えながら使用することにより、容器本体２をきれいな状態に保つことができ、容器本体２を洗浄する必要がない。また、袋３の口部の周縁が容器本体２の開口２ｃの外側に折り返されて固定されるため、容器本体２の開口２ｃで刷毛などを拭っても、容器本体２が汚れるのを防ぐことができる。容器本体２は簡単な構成から成るため、安価なコストで製造することができ、また、市販の安価な袋３や粘着テープ４、固定テープ５を使用することができるので、経費を削減することができる。
【００２０】
なお、図２に示すように、塗装用塗料容器１は、固定テープ５を使用せずに、開口２ｃに沿って着脱可能な固定部材１１を有していてもよい。固定部材１１は、容器本体２との間に袋３を挟んで固定可能である。固定部材１１は、短い円筒形状を成し、開口２ｃに沿って容器本体２の内面に沿って配置される側板部１１ａと、容器本体２の上端に接するよう側板部１１ａの上端から外側に向かって突出して設けられたフランジ部１１ｂとを有している。固定部材１１は、側板部１１ａの外面と容器本体２の内面との間に袋３を挟んで固定するようになっている。
【００２１】
この固定部材１１を有する場合、固定部材１１により容器本体２の開口２ｃの位置で袋３を固定するため、容器本体２の開口２ｃの大きさを保持することができ、使いやすい。固定部材１１が開口２ｃに沿って設けられるため、容器本体２の開口２ｃで刷毛などを拭っても、容器本体２が汚れるのを防ぐことができる。固定部材１１が着脱可能であるため、袋３の交換が容易である。
【図面の簡単な説明】
【００２２】
【図１】本発明の実施の形態の塗装用塗料容器を示す斜視図である。
【図２】図１に示す塗装用塗料容器の変形例を示す斜視図である。
【符号の説明】
【００２３】
１    塗装用塗料容器
２    容器本体
２ａ  側部
２ｂ  底板
２ｃ  開口
２ｄ  貫通孔
２ｅ  持ち手
３    袋
４    粘着テープ
５    固定テープ
【図１】
0004713559.tif 000002
【図２】
0004713559.tif 000003